(57)【要約】【課題】  極めて簡単な構成で、脱落する虞がなく、大型のスライド式シャッタ１においても、簡単に十分な補強を行うことができるスライド式シャッタの補強構造６を提供する。【解決手段】  スライド式シャッタの補強構造６は、建物開口部２の両側縁に設けられた一対のガイドレール４に案内されて、前記建物開口部２を開閉可能なシャッタ板３を備えるスライド式シャッタの補強構造１であって、前記建物開口部２の床面９に設けられた固定孔７と、該固定孔７に固定されて前記シャッタ板３に近接して立設する補強体８１と、備える。【選択図】図２
2011117180.tif 000002
【特許請求の範囲】
【請求項１】
建物開口部の両側縁に設けられた一対のガイドレールに案内されて、前記建物開口部を開閉可能なシャッタ板を備えるスライド式シャッタの補強構造であって、
前記建物開口部の床面に設けられた固定手段と、
該固定手段に固定されて前記シャッタ板に近接して立設する補強体と、を備えることを特徴とするスライド式シャッタの補強構造。
【請求項２】
前記固定手段は、前記補強体の下端を挿入可能な固定孔であることを特徴とする請求項１に記載のスライド式シャッタの補強構造。
【請求項３】
前記固定手段は、前記補強体を前記建物開口部の床面に対して立設状態と前記建物開口部の床面に倒した状態とに移行できるように回動自在に固定する軸部と、当該補強体を立設状態に支持する支持部材と、を有し、
記建物開口部の床面に前記補強体を床面に倒した状態で収納可能な収納溝を更に備えることを特徴とする請求項１に記載のスライド式シャッタの補強構造。
【請求項４】
建物開口部の両側縁に設けられた一対のガイドレールに案内されて、前記建物開口部を開閉可能なシャッタ板を備えるスライド式シャッタの補強構造であって、
上端が前記建物開口部の天井面又はスライド式シャッタの上端に固定される補強体と、
前記補強体を前記建物開口部の天井面又はスライド式シャッタの上端から垂下した状態と、天井面に水平に当接した状態とに移行できるように回動自在に支持する支持軸と、
前記補強体を天井面から垂下した状態で、前記シャッタ板に当接するように固定する固定部材と、を備えることを特徴とするスライド式シャッタの補強構造。
【発明の詳細な説明】
【技術分野】
【０００１】
本発明は、建物開口部に設置されるスライド式シャッタの補強構造に関し、特に、ガイドレールに沿って設けられた補強体用レールにスライド自在に保持されるスライド式シャッタの補強構造に関する。
【背景技術】
【０００２】
建物開口部を開閉するスライド式シャッタは、上下に連結される複数のスラット板からなるシャッタ板を、建物開口部の両側縁に設置されたガイドレールに案内させて、建物開口部を開閉する構成である（例えば特許文献１）。このようなスライド式シャッタは、強風に煽られるとスラット板がバタついてガイドレールと衝突し騒音を発生し易く、さらにはスラット板が風圧に負けて破損する虞がある。
【０００３】
そこで、上述の問題を解消するために本願の出願人は、スライド式シャッタ１００を補強するシャッタ補強部材１０１を提案した。このシャッタ補強部材１０１は、図１５に示すように、一端に開口部を有する筒状に形成された筒状部材１０２と、一端が該筒状部材１０２の内部にスライドして伸出及び収納可能であるスライド部材１０３と、前記筒状部材１０２と前記スライド部材１０３とを所定位置で固定させる係止螺子１０４と、前記筒状部材１０２の他端および前記スライド部材１０３の他端のそれぞれに設けられスライド式シャッタ１００の一対のガイドレール１０５とスラット板１０６との隙間に挿し込まれる爪部１０７と、を備えている（特許文献２参照）。
【０００４】
そして、筒状部材１０２にスライド部材１０３を収納して、シャッタ補強部材１０１をやや短くした状態で、スライド式シャッタ１００のスラット板１０６にシャッタ補強部材１０１を当接させて、爪部１０７をガイドレール１０５とスラット板１０６との隙間に挿し込むように、シャッタ補強部材１０１を伸ばして、係止螺子１０４を締めることにより、シャッタ補強部材１０１をスライド式シャッタ１００に固定して補強する。このように、従来からスライド式シャッタに設けられているガイドレール１０５およびスラット板１０６の間の間隙にシャッタ補強部材１０１を簡単に取付けることができ、スライド式シャッタ１００をきわめて簡単に補強することができる。
【先行技術文献】
【特許文献】
【０００５】
【特許文献１】特開２００４−１７６２６３号公報
【特許文献２】特許第３９１２７９４号公報
【発明の概要】
【発明が解決しようとする課題】
【０００６】
上述のようなシャッタ補強部材１０１は、簡単にスライド式シャッタ１００を補強することができるものの、爪部１０７をガイドレール１０５とスラット板１０６との隙間に挿し込むだけで固定しているので、例えば、係止螺子１０４が緩んだ場合等に爪部１０７がガイドレール１０５とスラット板１０６との隙間から外れて脱落する虞がある。
【０００７】
また、上述のようなシャッタ補強部材１０１は、少なくとも、スライド式シャッタ１００の両側に設けられたガイドレール１０５の幅と同じ長さが必要となり、スライド式シャッタ１００の幅が広い場合には、より強度が高く、且つ、より長いシャッタ補強部材１０１が必要となるので、シャッタ補強部材１０１の重量が増し、爪部１０７に大きな負担がかかる。
【０００８】
そこで本発明は、上述の問題点を解決するためになされたものであり、極めて簡単な構成で、脱落する虞がなく、大型のスライド式シャッタにおいても、簡単に十分な補強を行うことができるスライド式シャッタの補強構造を提供することを目的とする。
【課題を解決するための手段】
【０００９】
上記目的を達成するために、請求項１に記載のスライド式シャッタの補強構造は、建物開口部の両側縁に設けられた一対のガイドレールに案内されて、前記建物開口部を開閉可能なシャッタ板を備えるスライド式シャッタの補強構造であって、前記建物開口部の床面に設けられた固定手段と、該固定手段に固定されて前記シャッタ板に近接して立設する補強体と、を備えることを特徴としている。
【００１０】
また、請求項２に記載のスライド式シャッタの補強構造は、前記固定手段は、前記補強体の下端を挿入可能な固定孔であることを特徴としている。
【００１１】
また、請求項３に記載のスライド式シャッタの補強構造は、前記固定手段は、前記補強体を前記建物開口部の床面に対して立設状態と前記建物開口部の床面に倒した状態とに移行できるように回動自在に固定する軸部と、当該補強体を立設状態に支持する支持部材と、を有し、記建物開口部の床面に前記補強体を床面に倒した状態で収納可能な収納溝を更に備えることを特徴としている。
【００１２】
また、請求項４に記載のスライド式シャッタの補強構造は、建物開口部の両側縁に設けられた一対のガイドレールに案内されて、前記建物開口部を開閉可能なシャッタ板を備えるスライド式シャッタの補強構造であって、上端が前記建物開口部の天井面又はスライド式シャッタの上端に固定される補強体と、前記補強体を前記建物開口部の天井面又はスライド式シャッタの上端から垂下した状態と、天井面に水平に当接した状態とに移行できるように回動自在に支持する支持軸と、前記補強体を天井面から垂下した状態で、前記シャッタ板に当接するように固定する固定部材と、を備えることを特徴としている。
【発明の効果】
【００１３】
請求項１に記載のスライド式シャッタの補強構造は、補強体が床面に設けられた固定手段に固定されるものであるので、補強体が脱落する虞なくシャッタ板に近接して立設し、スライド式シャッタを補強することができる。
【００１４】
また、このように補強体は、床面に設けられた固定手段に固定するものであるので、大型のスライド式シャッタを補強する場合でも、当該スライド式シャッタの幅よりも補強体の長さを短くすることができ、補強体が重くなって取り付け取外し作業が困難になることを抑制できる。
【００１５】
請求項２に記載のスライド式シャッタの補強構造は、固定孔に補強体の下端を挿入して固定するものであるので、極めて簡単に、且つ、強固に補強体を固定することができる。
【００１６】
請求項３に記載のスライド式シャッタの補強構造は、スライド式シャッタを補強するときには、補強体を建物開口部の床面に対して立設状態に保持し、スライド式シャッタを開放するときには、補強体を建物開口部の床面に設けられた収納溝に収納することができるので、極めて簡単にスライド式シャッタを補強することができるとともに、スライド式シャッタを開放するときにも、補強体を簡単に収納することができる。
【００１７】
また、請求項４に記載のスライド式シャッタの補強構造は、建物開口部の天井面又はスライド式シャッタの上端に設けられた支持軸と固定部材により補強体が垂下するように設けられているので、大型のスライド式シャッタを補強する場合でも、当該スライド式シャッタの幅よりも補強体の長さを短くすることができ、補強体が重くなることを抑制することができる。
【００１８】
また、補強体を建物開口部の天井面又はスライド式シャッタの上端から垂下した状態と天井面に水平に当接した状態とに移行できるので、スライド式シャッタを補強するときには、補強体を垂下した状態にすることで、スライド式シャッタを極めて簡単に補強することができるとともに、スライド式シャッタを開放するときには、補強体を天井面に水平に当接した状態にすることで、補強体が建物開口部の出入りの邪魔になることもない。
【図面の簡単な説明】
【００１９】
【図１】補強する前の状態の第１の実施形態に係るスライド式シャッタの補強構造を説明する斜視図。
【図２】補強した状態の第１の実施形態に係るスライド式シャッタの補強構造を説明する斜視図。
【図３】スライド式シャッタを開放した状態で、補強体を立設させた状態を説明する斜視図。
【図４】棒材からなる補強体を用いてスライド式シャッタを補強する前の状態を説明する斜視図。
【図５】棒材からなる補強体を用いてスライド式シャッタを補強した状態を説明する斜視図。
【図６】幅広のスライド式シャッタを複数の２つの補強体で補強した状態を説明する斜視図。
【図７】第２の実施形態に係るスライド式シャッタの補強構造を用いてスライド式シャッタを補強した状態を説明する斜視図。
【図８】補強体を建物開口部の床面に倒した状態を説明する斜視図。
【図９】（ａ）は、第２の実施形態に係るスライド式シャッタの補強構造の補強体を建物開口部の床面に倒した省略断面図であり、（ｂ）は、補強体を起こしている途中の状態を説明する省略断面図図であり、（ｃ）は、補強体を立設させてスライド式シャッタを補強している状態を説明する省略断面図。
【図１０】第３の実施形態に係るスライド式シャッタの補強構造を用いてスライド式シャッタを補強する前の状態を説明する斜視図。
【図１１】図１０のＡ−Ａ断面図。
【図１２】第３の実施形態に係るスライド式シャッタの補強構造を用いてスライド式シャッタを補強した後の状態を説明する斜視図。
【図１３】図１２のＢ−Ｂ断面図。
【図１４】（ａ）は図１１のａ部分拡大図であり、（ｂ）は図１３のｂ部分拡大図。
【図１５】従来のシャッタ補強部材を説明する斜視図。
【発明を実施するための形態】
【００２０】
〔第１の実施形態〕
以下に、本発明の第１の実施形態について、図１及び図２を参照しつつ説明する。スライド式シャッタ１は、建物の出入口や窓などの建物開口部２に設けられる鋼製の巻上げ戸であって、複数の細長い鉄板状のスラット板をよろい戸状につづったシャッタ板３と、建物開口部２の両側縁に互いに開口が向かい合うようにそれぞれ設けられた断面Ｕ字状の枠体であって、シャッタ板３の側部がそれぞれスライド自在に挿入されて、シャッタ板３を上下に案内するガイドレール４とにより構成される。そして、建物開口部２の上部には、このシャッタ板３を引き上げ及び引き下ろすことができる巻き上げ軸が収納ボックス５に収容されており、巻き上げ軸を電動又は人力で正回転させることにより、この巻き上げ軸にシャッタ板３が巻き付いてシャッタ板３を建物開口部２から引き上げることができる。また、逆回転させることにより、この巻き上げ軸に巻き付いているシャッタ板３を下降させて建物開口部２を閉塞することができる。
【００２１】
なお、本実施形態においては、スライド式シャッタ１として上述のような巻上げ戸を例示するが、本発明の「スライド式シャッタ」はこれに限定されるものではなく、シャッタ板３を天井部で水平に収納する所謂オーバーヘッドドアやシャッタ板３が建物開口部２の上部の壁面に折れ曲がらずに鉛直に収納されるもの等のように、建物開口部２において両側縁に設けられたガイドレール４に案内されて、建物開口部２を開閉することができる種々の構成を用いることができる。
【００２２】
スライド式シャッタの補強構造６は、建物開口部２のや屋内側の床面９に設けられた第１の固定手段としての２個の固定孔７と、下端がこの固定孔７に挿入されて、スライド式シャッタ１のシャッタ板３に近接して立設する補強体８１と、を備える。なお、本実施形態においては、建物開口部２の屋内側に補強体８１を立設する例を説明するが、本発明に係るスライド式シャッタの補強構造６は、建物開口部２の屋外側に補強体８１を立設するものや、建物開口部２の屋外側と屋内側の両方に補強体８１を立設するものも含む。
【００２３】
補強体８１は、中空の鋼材により形成されており、略平行に形成された一対の側材８１ａと、この一対の側材８１ａの上端に架設される上側架設材８１ｂと、２本の側材８１ａの高さ方向の中間位置に架設される中間架設材８１ｃと、を例えば溶接等により固定して形成されている。２個の固定孔７は、一対の側材８１ａの下端がそれぞれ挿入できるように距離を開けて、スライド式シャッタ１を閉じた際にシャッタ板３の下端に近接して設けられている。なお、補強体８１としては鋼、ステンレス、アルミニウム等の加工が容易であって、一定の強度を保つことができる金属からなる中空部材が好ましく、また、補強体８１の強度を維持しつつより軽くしたい場合には繊維補強プラスチックなどの樹脂を用いても良い。
【００２４】
このように、一対の側材８１ａの下端が２個の固定孔７に挿入されて、一対の側材８１ａが鉛直に立設するとともに、上側架設材８１ｂ及び中間架設材８１ｃがそれぞれ略水平に架設され、補強体８１がスライド式シャッタ１のシャッタ板３に近接して立設するので、風などによってスライド式シャッタ１のシャッタ板３が過度に撓むことを防ぐことができる。補強体８１は建物開口部２の床面９に設けられた２個の固定孔７に挿入するだけで、シャッタ板３の近傍に立設されるので、極めて簡単にスライド式シャッタ１を補強することができる。
【００２５】
なお、第１の実施形態のスライド式シャッタの補強構造６に係る補強体８１は、シャッタ板３を補強する必要がないときには倉庫などに別途保管することもできるが、図３に示すように、スライド式シャッタ１を開放した状態で、補強体８１を立設させることにより、例えば車両の進入の禁止柵や引っ掛けることで干し物を引っ掛ける柵としても利用することもできる。
【００２６】
この実施形態においては、補強体８１は一対の側材８１ａの間に上側架設材８１ｂ及び中間架設材８１ｃを架設する構成としたが、補強体８１の構成はこれに限定されるものではない。例えば図４及び図５に示すように、補強体８２は固定孔７に挿入される棒材であっても良い。すなわち、１又は複数の固定孔７に棒材からなる補強体８２をそれぞれ挿入して、スライド式シャッタ１のシャッタ板３の近傍に立設させることによっても、最低限シャッタ板３を補強することができる。この構成は極めて簡単であるので、設置コストを軽減することができるとともに、スライド式シャッタ１を開放したときなどのように使用しないときの保管スペースが少なくてよい利点がある。
【００２７】
補強体８１は、このほか、スライド式シャッタ１のシャッタ板３の近傍に立設することができる種々の形状を採用することができるとともに、スライド式シャッタ１が幅広の場合は、図６に示すように、必要に応じて複数設置することができる。また、固定孔７は補強体８１の形状及び数に応じて、必要な形状及び必要な数を設けることができる。
【００２８】
〔第２の実施形態〕
次に、本発明の第２の実施形態について、図７から図９を参照しつつ説明する。なお、第１の実施形態と同様の構成ついては、同じ符号を付して説明を省略する。第２の実施形態に係るスライド式シャッタの補強構造６は、シャッタ板３に近接して立設可能な補強体８３と、この補強体８３と建物開口部２の床面９とを連結する第２の固定手段１７と、建物開口部２の床面９に設けられ補強体８３を収納可能な収納溝１２と、を備えてなる。
【００２９】
そして、第２の固定手段１７は、補強体８３を前記建物開口部２の床面９に対して立設した状態と前記建物開口部２の床面９に倒した状態とに移行できるように回動自在に固定する軸部１０と、当該補強体８３を立設状態に保持する支持部材１１と、により構成されている。
【００３０】
補強体８３は一対の側材８３ａの間に上側架設材８３ｂ及び中間架設材８３ｃを溶接等により固定して形成されている。この側材８３ａの下端は収納溝１２に挿入された状態で軸部１０により回動自在に固定されており、収納溝１２は、図８に示すように、補強体８３を倒したときに、補強体８３がちょうど収納されるように、床面９を凹ませて形成されている。また、側材８３ａのシャッタ板３と反対側面の中間位置には、側材８３ａよりも短い棒状の支持部材１１の一端が揺動自在に連結されている。
【００３１】
スライド式シャッタ１を補強しないときには、図８及び図９（ａ）に示すように、補強体８３を倒して、収納溝１２に収納する。収納溝１２に収納されたときに、補強体８３の外部に露出する面８３ｄと、床面９とは、ほぼ面一に形成されているので、建物開口部２を通って、車両などが出入りするときに、補強体８３に引っ掛かることなくスムーズに出入りすることができる。また、このように補強体８３は床面９の中に収納されているので、補強体８３を使用しないときに、別の場所に別途保管する必要がない。
【００３２】
また、スライド式シャッタ１を補強するときには、図９（ｂ）に示すように、まず、補強体８３を起き上がらせる。このとき、補強体８３の側材８３ａに連結されている支持部材１１も補強体８３の起き上がり動作に連動して起き上がる。そして、図９（ｃ）に示すように、補強体８３の側材８３ａがほぼ鉛直になるように保持して、支持部材１１の下端を収納溝１２に形成された係止孔１３に引っ掛けて固定する。このように固定することで、風などによってスライド式シャッタ１のシャッタ板３が過度に撓むことを防ぐことができる。建物開口部２の床面９に設けられた収納溝１２に収納されている補強体８３を起き上がらせるだけで、シャッタ板３の近傍に補強体８３を立設できるので、極めて簡単にスライド式シャッタ１を補強することができる。
【００３３】
〔第３の実施形態〕
次に、本発明の第３の実施形態について、図１０から図１４を参照しつつ説明する。なお、第１の実施形態と同様の構成ついては、同じ符号を付して説明を省略する。本実施形態のスライド式シャッタの補強構造６は、スライド式シャッタ１の上端に設けられた支持軸１４と、この支持軸１４に対して一端が回動自在な補強体８４と、この補強体８４を垂下させた状態でスライド式シャッタ１のガイドレール４に保持する固定部材１５とを備える。
【００３４】
支持軸１４は例えば図示しないモータに連結されており、モータを駆動して支持軸１４を正逆回転させることにより、補強体８４をこの支持軸１４から垂下した状態と、天井面１６に対して水平に当接した状態とに移行させることができる。このモータは電動などの動力を用いるもののほか、例えば複数のギア比の異なる歯車を組み合わせて、簡単に回転させることができるように形成したハンドルを人力で回転させるものであっても良い。なお、図示しないが、モータが駆動していないとき、又はハンドルに回転トルクが加えられないときに、支持軸１４の空転を防止できるようにストッパを備えることが好ましい。ストッパとしては、例えば支持軸１４に圧接する弾性体であってその摩擦力により支持軸１４の空転を阻止するものや、支持軸１４に固定されている歯車の回転を阻止する嵌合部材などを用いることができる。
【００３５】
なお、支持軸１４の構成はこれに限定されるものではなく、例えば、支持軸１４はその内部に補強体８４を水平状態に付勢するつる巻ばね等の付勢手段を内蔵し、外力が加わらない状態のときには、補強体８４を天井面１６に対して水平に当接した状態に保持することができるものであっても良い。この構成において、スライド式シャッタ１を補強するときには、補強体８４を引き降して支持軸１４から垂下した状態に保持し、スライド式シャッタ１のガイドレール４に設けられた固定部材１５に、補強体８４の下端を引っ掛けて固定する。
【００３６】
補強体８４は、一端が支持軸１４に回動自在に固定された一対の側材８４ａと、この側材８４ａの間に架設される２本の架設材８４ｂとをそれぞれ溶接等により固定して構成されている。また、固定部材１５は、図１４（ａ）に示すように、補強体８４を垂下させたときに側材８４ａの下端となる部分のガイドレール４に突出した突出片１５ａと、この突出片１５ａの突端に回動自在に設けられた保持片１５ｂと、この保持片１５ｂを側材８４ａに当接させて固定する固定片１５ｃとを備える。補強体８４を天井面１６に水平に当接させるときには、図１４（ｂ）に示すように、固定部材１５の固定片１５ｃを保持片１５ｂから外し、保持片１５ｂを下方に回転させることにより、補強体８４の側材８４ａを開放し、補強体８４を天井面１６に水平になるように回転させる。
【００３７】
このように構成することにより、スライド式シャッタ１を補強する際には、補強体８４がシャッタ板３に沿って垂下するので、例えば風などによってシャッタ板３が撓む場合でも、補強体８４によりシャッタ板が過度に撓むことを抑制することができ、シャッタ板３が破損することやガイドレール４から脱落することを防ぐことができる。また、スライド式シャッタ１を開放する場合などのように、スライド式シャッタ１を補強しないときには、補強体８４は天井面１６に水平に当接させるので、建物開口部２の出入りの邪魔にならない。
【００３８】
なお、上述の各実施形態は一例であり、実施の形態は、上述の形態に限ることなく、本発明の思想を逸脱しない範囲で適宜変更することができる。また、第１の実施形態、第２の実施形態、及び第３の実施形態は、それぞれ単独で用いられるもののほか、例えば屋内側には、第２の実施形態のスライド式シャッタの補強構造６を採用するとともに、屋外側には第３の実施形態のスライド式シャッタの補強構造６を採用する場合のように、複数の実施形態に係るスライド式シャッタの補強構造６を組み合わせて用いることで、スライド式シャッタ１をより強固に補強できるようにしても良い。
【産業上の利用可能性】
【００３９】
本発明のスライド式シャッタの補強構造６は、特に大型のスライド式シャッタ１を補強する構造として、好適に用いることができる。
【符号の説明】
【００４０】
１    スライド式シャッタ
２    建物開口部
３    シャッタ板
４    ガイドレール
６    スライド式シャッタの補強構造
７    固定孔（第１の固定手段）
８１〜８４  補強体
９    床面
１０  軸部
１１  支持部材
１２  収納溝
１４  支持軸
１５  固定部材
１６  天井面
１７  第２の固定手段
【図１】
2011117180.tif 000003
【図２】
2011117180.tif 000004
【図３】
2011117180.tif 000005
【図４】
2011117180.tif 000006
【図５】
2011117180.tif 000007
【図６】
2011117180.tif 000008
【図７】
2011117180.tif 000009
【図８】
2011117180.tif 000010
【図９】
2011117180.tif 000011
【図１０】
2011117180.tif 000012
【図１１】
2011117180.tif 000013
【図１２】
2011117180.tif 000014
【図１３】
2011117180.tif 000015
【図１４】
2011117180.tif 000016
【図１５】
2011117180.tif 000017
【手続補正書】
【提出日】平成23年1月13日(2011.1.13)
【手続補正１】
【補正対象書類名】特許請求の範囲
【補正対象項目名】全文
【補正方法】変更
【補正の内容】
【特許請求の範囲】
【請求項１】
建物開口部の両側縁に設けられた一対のガイドレールに案内されて、前記建物開口部を開閉可能なシャッタ板を備えるスライド式シャッタの補強構造であって、
前記建物開口部の床面に設けられた固定手段と、
該固定手段に固定されて前記シャッタ板に近接して立設する補強体と、を備え、
前記固定手段は、前記補強体を前記建物開口部の床面に対して立設状態と前記建物開口部の床面に倒した状態とに移行できるように回動自在に固定する軸部と、当該補強体を立設状態に支持する支持部材と、を有し、
記建物開口部の床面に前記補強体を床面に倒した状態で収納可能な収納溝を更に備えることを特徴とするスライド式シャッタの補強構造。
【請求項２】
建物開口部の両側縁に設けられた一対のガイドレールに案内されて、前記建物開口部を開閉可能なシャッタ板を備えるスライド式シャッタの補強構造であって、
当該スライド式シャッタの上端両側部にそれぞれ形成され、スライド式シャッタのシャッタ板に対して平行な軸を有する支持軸と、
一端が前記支持軸に回動自在に固定された一対の側材と、当該側材の間に架設される架設材とを備え、前記シャッタ板に沿って垂下した状態と、天井面に対して平行な状態とに移行可能な補強体と、
前記補強体が天井面に当接する方向に付勢する付勢手段と、
補強体を垂下させたときに側材の下端となる部分のガイドレールに突出した突出片と、この突出片の突端に回動自在に設けられた保持片と、この保持片を側材に当接させて固定する固定片とを備えた固定手段と、を備えることを特徴とするスライド式シャッタの補強構造。
【手続補正２】
【補正対象書類名】明細書
【補正対象項目名】０００９
【補正方法】変更
【補正の内容】
【０００９】
上記目的を達成するために、請求項１に記載のスライド式シャッタの補強構造は、建物開口部の両側縁に設けられた一対のガイドレールに案内されて、前記建物開口部を開閉可能なシャッタ板を備えるスライド式シャッタの補強構造であって、前記建物開口部の床面に設けられた固定手段と、該固定手段に固定されて前記シャッタ板に近接して立設する補強体と、を備え、前記固定手段は、前記補強体を前記建物開口部の床面に対して立設状態と前記建物開口部の床面に倒した状態とに移行できるように回動自在に固定する軸部と、当該補強体を立設状態に支持する支持部材と、を有し、記建物開口部の床面に前記補強体を床面に倒した状態で収納可能な収納溝を更に備えることを特徴としている。
【手続補正３】
【補正対象書類名】明細書
【補正対象項目名】００１０
【補正方法】変更
【補正の内容】
【００１０】
また、請求項２に記載のスライド式シャッタの補強構造は、建物開口部の両側縁に設けられた一対のガイドレールに案内されて、前記建物開口部を開閉可能なシャッタ板を備えるスライド式シャッタの補強構造であって、当該スライド式シャッタの上端両側部にそれぞれ形成され、スライド式シャッタのシャッタ板に対して平行な軸を有する支持軸と、一端が前記支持軸に回動自在に固定された一対の側材と、当該側材の間に架設される架設材とを備え、前記シャッタ板に沿って垂下した状態と、天井面に対して平行な状態とに移行可能な補強体と、前記補強体が天井面に当接する方向に付勢する付勢手段と、補強体を垂下させたときに側材の下端となる部分のガイドレールに突出した突出片と、この突出片の突端に回動自在に設けられた保持片と、この保持片を側材に当接させて固定する固定片とを備えた固定手段と、を備えることを特徴としている。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
請求項１に記載のスライド式シャッタの補強構造は、スライド式シャッタを補強するときには、補強体を建物開口部の床面に対して立設状態に保持し、スライド式シャッタを開放するときには、補強体を建物開口部の床面に設けられた収納溝に収納することができるので、極めて簡単にスライド式シャッタを補強することができるとともに、スライド式シャッタを開放するときにも、補強体を簡単に収納することができる。
【手続補正８】
【補正対象書類名】明細書
【補正対象項目名】００１７
【補正方法】変更
【補正の内容】
【００１７】
また、請求項２に記載のスライド式シャッタの補強構造は、建物開口部の天井面又はスライド式シャッタの上端に設けられた支持軸と固定部材により補強体が垂下するように設けられているので、大型のスライド式シャッタを補強する場合でも、当該スライド式シャッタの幅よりも補強体の長さを短くすることができ、補強体が重くなることを抑制することができる。
【手続補正９】
【補正対象書類名】明細書
【補正対象項目名】００１８
【補正方法】変更
【補正の内容】
【００１８】
また、補強体を建物開口部の天井面又はスライド式シャッタの上端から垂下した状態と天井面に平行に当接した状態とに移行できるので、スライド式シャッタを補強するときには、補強体を垂下した状態にすることで、スライド式シャッタを極めて簡単に補強することができるとともに、スライド式シャッタを開放するときには、補強体を天井面に平行に当接した状態にすることで、補強体が建物開口部の出入りの邪魔になることもない。